(57)【要約】【課題】昇降棚ユニットの電動昇降機構等の動作を単独でテストできるようにしたキッチン設備を提供する。【解決手段】フロアキャビネット１近傍の天井側に電動式の昇降棚ユニット２（Ａ）が設置され、フロアキャビネット１側に、昇降棚ユニット２（Ａ）の昇降棚８Ａを遠隔操作で昇降等させるためのスイッチ装置３４が配置されたキッチン設備において、昇降棚ユニット２（Ａ）の内部には、昇降棚８Ａの電動昇降機構１７等が収納されているとともに、昇降棚ユニット２（Ａ）の前面には、電動昇降機構１７等の収納ボックス（収納空間）１４の前部を開閉可能な幕板１５Ａが設けられ、この収納ボックス（収納空間）１４には、電動昇降機構１７等の動作を単独でテストするために操作可能な補助スイッチ装置３５が設けられている。【選択図】図３
2008099796.tif 000002
【特許請求の範囲】
【請求項１】
フロアキャビネット近傍の天井側に電動式の昇降棚ユニットが設置され、フロアキャビネット側に、昇降棚ユニットの昇降棚を遠隔操作で昇降等させるためのスイッチ装置が配置されたキッチン設備において、
前記昇降棚ユニットの内部には、昇降棚の電動昇降機構等が収納されているとともに、昇降棚ユニットの前面には、電動昇降機構等の収納空間の前部を開閉可能な幕板が設けられ、この収納空間には、電動昇降機構等の動作を単独でテストするために操作可能な補助スイッチ装置が設けられていることを特徴とするキッチン設備。
【請求項２】
前記補助スイッチ装置は、幕板が開かれた状態で、収納空間の最前部に臨まされていることを特徴とする請求項１に記載のキッチン設備。
【発明の詳細な説明】
【技術分野】
【０００１】
本発明は、フロアキャビネット近傍の天井側に電動式の昇降棚ユニットが設けられたキッチン設備に関する。
【背景技術】
【０００２】
従来、フロアキャビネット近傍の天井側に電動式の昇降棚ユニットが設置され、フロアキャビネット側に、昇降棚ユニットの昇降棚を遠隔操作で昇降等させるためのスイッチ装置が配置されたキッチン設備が提案されている（特許文献１参照）。
【特許文献１】特開２００６−４３２９２号公報
【発明の開示】
【発明が解決しようとする課題】
【０００３】
しかしながら、昇降棚ユニットの昇降棚を遠隔操作で昇降等させるためのスイッチ装置は、フロアキャビネット側に配置されているから、施工時に、天井側の昇降棚ユニットの電動昇降機構等の動作をテストするためには、フロアキャビネットが設置されていなければならないので、施工の都合でフロアキャビネットよりも前に昇降棚ユニットを設置する場合には、昇降棚ユニットの電動昇降機構等の動作（電動モータの回転具合や昇降棚の昇降具合等）を単独でテストができないという不具合があった。
【０００４】
また、電動昇降機等の収納空間の前面開口を開閉可能な幕板（化粧板）に、電動昇降機構等を動作させるスイッチ装置が設けられているものもあるが、幕板（化粧板）を取付けて、スイッチ装置と電動昇降機構等とを電気的に接続した後でなければ、昇降棚ユニットの電動昇降機構等の動作を単独でテストができないという不具合があった。
【０００５】
本発明は、前記問題を解消するためになされたもので、昇降棚ユニットの電動昇降機構等の動作を単独でテストできるようにしたキッチン設備を提供することを目的とするものである。
【課題を解決するための手段】
【０００６】
前記課題を解決するために、本発明は、フロアキャビネット近傍の天井側に電動式の昇降棚ユニットが設置され、フロアキャビネット側に、昇降棚ユニットの昇降棚を遠隔操作で昇降等させるためのスイッチ装置が配置されたキッチン設備において、前記昇降棚ユニットの内部には、昇降棚の電動昇降機構等が収納されているとともに、昇降棚ユニットの前面には、電動昇降機構等の収納空間の前部を開閉可能な幕板が設けられ、この収納空間には、電動昇降機構等の動作を単独でテストするために操作可能な補助スイッチ装置が設けられていることを特徴とするキッチン設備を提供するものである。
【０００７】
請求項２のように、前記補助スイッチ装置は、幕板が開かれた状態で、収納空間の最前部に臨まされていることが好ましい。
【発明の効果】
【０００８】
本発明によれば、昇降棚ユニットの内部の収納空間に補助スイッチ装置を設けているから、施工時に、昇降棚ユニットの昇降棚を遠隔操作で昇降等させるためのスイッチ装置が配置されているフロアキャビネットよりも前に、昇降棚ユニットを設置する場合、または幕板（化粧板）のスイッチ装置と電動昇降機構等とを電気的に接続していない状態であっても、収納空間の補助スイッチ装置を操作すると、電動昇降機構等の動作を単独でテストできるようになるので、施工性が向上するようになる。
【０００９】
請求項２によれば、補助スイッチ装置を収納空間の最前部に臨ませることで、操作が行い易くなる。
【発明を実施するための最良の形態】
【００１０】
以下、本発明を実施するための最良の形態について、図面を参照しながら詳細に説明する。
【００１１】
図１および図２に示すように、キッチン設備として、フロアキャビネット１が設置されているとともに、フロアキャビネット１近傍の天井側に電動式の昇降棚ユニット２（Ａ〜Ｃ）が設置されている。
【００１２】
フロアキャビネット１の上には、シンク３や電磁調理器４等が配置され、フロアキャビネット１の前面側には、シンク３に対応させて、引き出し可能な収納イス５が設けられている。
【００１３】
昇降棚ユニット２（Ａ〜Ｃ）は、電動式であり、各昇降棚ユニット２（Ａ〜Ｃ）の昇降棚８Ａ，８Ｂ，８Ｃは、それぞれ独立に昇降できるようになっている。
【００１４】
中央位置と右側位置の昇降棚ユニット２（Ｂ），２（Ｃ）の昇降棚８Ｂ，８Ｃは、フロアキャビネット１側、例えばシンク３の前部に設けたリモコン収納バー６のリモコン本体（具体的に図示せず。）によって、上昇・下降・停止等を遠隔操作することができる。
【００１５】
左側の昇降棚ユニット２（Ａ）の昇降棚８Ａは、フロアキャビネット１側、例えば図８に示すように、電磁調理器４の前部に設けたスイッチパネル３４の上昇スイッチ３４ａと下降スイッチ３４ｂとによって、上昇・下降・停止等を遠隔操作することができる。
【００１６】
左側位置の昇降棚ユニット２（Ａ）は、電磁調理器４の真上に位置するように設置されていて、この昇降棚ユニット２（Ａ）の昇降棚８Ａの下部には、電磁調理器４に対向する換気フード９が取付けられ、この換気フード９の左側部分のダクト部９ａにフィルターや換気扇（不図示）が設けられている。したがって、左側位置の昇降棚ユニット２（Ａ）は、昇降棚８Ａとともに換気扇付き換気フード９も昇降するようになる（昇降フード）。
【００１７】
図３〜図６に示すように、昇降棚ユニット２（Ａ）の内部には、前面と下面とが開口した四角形状の収納ボックス１４が設けられ、この収納ボックス１４は、施工時に、フロアキャビネット１の奥側のキッチン壁面に固定されるようになる。この収納ボックス１４の上板１４ａの前面開口側には、幕板（化粧板）１５Ａ（図１、図２参照）がヒンジ結合されて、幕板１５Ａを上方に揺動させると、収納ボックス１４の前面開口を開くことができ、幕板１５Ａを下方に揺動させると、収納ボックス１４の前面開口を閉じることができる。なお、具体的に図示しないが、昇降棚ユニット２（Ｂ），２（Ｃ）の内部にも同様な収納ボックスがそれぞれ設置されて、各収納ボックスを幕板１５Ｂ，１５Ｃで開閉することができる。
【００１８】
これらの幕板１５Ａ，１５Ｂ，１５Ｃは、メンテナンス時等に開閉するためのものであって、昇降棚ユニット２（Ａ〜Ｃ）の施工の完了直前に、収納ボックス１４にヒンジ結合するものである。
【００１９】
収納ボックス１４の内部には、昇降棚８Ａの電動昇降機構１７等が収納されているとともに、電動昇降機構１７で上昇された昇降棚８Ａが下面開口側から収納されるようになる（図３参照）。
【００２０】
昇降棚ユニット２（Ａ）の内部の収納ボックス１４の左側方位置には、換気フード９が上昇した時に、換気フード９のダクト部９ａに連結されるダクト１８がキッチン壁面に固定されている。
【００２１】
昇降棚８Ａの下部に取付けられた換気フード９は、電磁調理器４に対向する大型の長方形状に形成されていて、左側方位置のダクト１８との関係で、右側の後隅部分が昇降棚８Ａの下部に取付けられることになる。
【００２２】
収納ボックス１４の左側板１４ｂと右側板１４ｃの内面の前後（奥行き）方向の中間位置には、上下方向に延在するガイドレール２０がそれぞれ固定されている。
【００２３】
昇降棚８Ａの上左部と上右部には、前後（奥行き）幅とほぼ等しい長さで前後（奥行き）方向に延在するＬ字状の剛性補強板２１がねじで固定され、この補強板２１の長さ方向の略中間部に、上下方向に延在する上部ブラケット２２がねじで十字状に固定されている。
【００２４】
上部ブラケット２２には、各ガイドレール２０に嵌合して、ガイドレール２０に沿って上下方向にスライドするスライダー２３がそれぞれねじで固定されている。
【００２５】
したがって、昇降棚８Ａは、スライダー２３によって収納ボックス１４のガイドレール２０に沿って上下方向に昇降されるようになる。
【００２６】
収納ボックス１４の上板１４ａの内面には、電動モータ２５と、この電動モータ２５で駆動される２個のドラム２６と、２個のガイドプーリ２７とが配置され、各ドラム２６に巻回された２本のベルト２８が左方と右方にそれぞれ引き出され、各ガイドプーリ２７で下方に曲げられた後に、昇降棚８Ａの左右の上部ブラケット２２に連結されるようになる。
【００２７】
したがって、電動モータ２５の正転で、各ドラム２６から各ベルト２８が巻き戻される（緩められる）ことにより、昇降棚８Ａは下降されるとともに、電動モータ２５の逆転で、各ドラム２６に各ベルト２８が巻き取られる（引っ張られる）ことにより、昇降棚８Ａは上昇されるようになる。
【００２８】
収納ボックス１４の左側板１４ｂの内面には、ガイドレール２０に対してやや傾斜させたセンサーガイド３０が固定されるとともに、昇降棚８Ａの上左部の補強板２１には、センサーガイド３０でガイドされる位置センサー３１が固定されている。位置センサー３１は、例えば図７（ａ）に示すような可変抵抗器であって、操作軸部３１ａがセンサーガイド３０でガイドされることにより、昇降棚８Ａの上昇位置ではｂ位置にスライド移動され、下降位置ではｃ位置にスライド移動されるようになる。
【００２９】
すなわち、図７（ｂ）に示すように、昇降棚８Ａが上昇位置に上昇している場合には、位置センサー３１の操作軸部３１ａは位置ｂにあるから、抵抗が最小で出力電圧は最大の５Ｖとなるので、５Ｖの出力電圧を制御ボックス３２の制御回路で検出すれば、昇降棚８Ａが上昇位置であるという位置検知ができる。また、昇降棚８Ａが下降位置に下降している場合には、位置センサー３１の操作軸部３１ａは位置ｃにあるから、抵抗が最大で出力電圧は最小の０Ｖとなるので、０Ｖの出力電圧を制御ボックス３２の制御回路で検出すれば、昇降棚８Ａが下降位置であるという位置検知ができる。したがって、出力電圧が５Ｖ〜０Ｖのどの位置にあるかを検出すれば、昇降棚８Ａがどの高さ位置（昇降位置）にあるかが検出できるようになるから、位置センサー３１による位置検出によって、制御ボックス３２の制御回路で、電動モータ２５の正転・逆転、停止等を自動制御することができる。
【００３０】
ここで、フロアキャビネット１側のスイッチパネル３４と昇降棚ユニット２（Ａ）側の制御ボックス３２とは、配線等で電気的に接続しなければ、電動昇降機構１７等の動作をテストすることができない。
【００３１】
そこで、収納ボックス１４の上板１４ａの下面の最前部には、スイッチパネル３４の上昇スイッチ３４ａと下降スイッチ３４ｂとは別に、制御ボックス３２に直接接続された上昇スイッチ３５ａと下降スイッチ３５ｂとでなる補助スイッチ装置３５を設けている。
【００３２】
前記のようにキッチン設備を構成すれば、昇降棚ユニット２（Ａ）の内部の収納ボックス（収納空間）１４に補助スイッチ装置３５を設けているから、施工時に、昇降棚ユニット２（Ａ）の昇降棚８Ａを遠隔操作で昇降等させるためのスイッチパネル（スイッチ装置）３４が配置されているフロアキャビネット１よりも前に、昇降棚ユニット２（Ａ）を設置する場合であっても、補助スイッチ装置３５を操作すると、電動昇降機構１７等の動作（電動モータ２５の回転具合や昇降棚８Ａの昇降具合等）を単独でテストできるようになるので、施工性が向上するようになる。
【００３３】
また、補助スイッチ装置３５を収納空間である収納ボックス１４の最前部に臨ませることで、操作が行い易くなる。
【図面の簡単な説明】
【００３４】
【図１】本発明の実施形態に係るキッチン設備で、昇降棚を上昇させた斜視図である。
【図２】本発明の実施形態に係るキッチン設備で、昇降棚を下降させた斜視図である。
【図３】昇降棚を上昇させた昇降棚ユニットの内部正面図である。
【図４】昇降棚を下降させた昇降棚ユニットの内部正面図である。
【図５】昇降棚を下降させた昇降棚ユニットの内部斜視図である。
【図６】昇降棚を下降させた昇降棚ユニットの内部分解斜視図である。
【図７】（ａ）は可変抵抗器の回路図、（ｂ）は昇降棚の高さと電圧との関係のグラフである。
【図８】電磁調理器のスイッチパネルの斜視図である。
【符号の説明】
【００３５】
１      フロアキャビネット
２（Ａ）  昇降棚ユニット
４      電磁調理器
８Ａ    昇降棚
９      換気フード
１４    収納ボックス（収納空間）
１５Ａ  幕板（化粧板）
１７    電動昇降機構
２０    ガイドレール
２１    補強板
２２    上部ブラケット
２３    スライダー
２５    電動モータ
３２    制御ボックス
３４    スイッチパネル（スイッチ装置）
３５    補助スイッチ装置
【図１】
2008099796.tif 000003
【図２】
2008099796.tif 000004
【図３】
2008099796.tif 000005
【図４】
2008099796.tif 000006
【図５】
2008099796.tif 000007
【図６】
2008099796.tif 000008
【図７】
2008099796.tif 000009
【図８】
2008099796.tif 000010